(57)【要約】【課題】外骨及び内骨の開閉が軽くスムーズに行えて太極拳を美しく綺麗に舞うことができる太極扇を提供する。【解決手段】太極扇１１は、扁平で長尺な２本の外骨１２と、外骨同士の間に沿わした状態で重畳される扁平で長尺な複数本の内骨１３と、外骨及び内骨の基部側に軸通されて開閉する時の中心となる要軸と、外骨及び内骨の一方の面又は他方の面に渡って生地材１５ａが貼られて形成される扇面部１５とから構成され、内骨の一方の面又は他方の面の基部寄りの位置には、所要長さの一条の凸部２３が形成され、凸部は、中央部が盛り上がって両端部に渡り傾斜部形成され、外骨及び内骨の凸部と重畳する面には、凸部と対応し嵌合する一条の凹部が形成される。【選択図】図１
2018033498.tif 000002
【特許請求の範囲】
【請求項１】
太極拳の動作に合わせて開閉して用いられる太極扇であって、
該太極扇は、扁平で長尺な２本の外骨と、該外骨同士の間に沿わした状態で重畳される扁平で長尺な複数本の内骨と、前記外骨及び前記内骨の基部側に軸通されて開閉する時の中心となる要軸と、前記外骨及び前記内骨の一方の面又は他方の面に渡って生地材が貼られて形成される扇面部と、から少なくとも構成され、
前記内骨の一方の面又は他方の面の前記基部寄りの位置には、所要長さの一条の凸部が形成され、
該凸部は、中央部が盛り上がって両端部に渡り傾斜部が形成され、
前記外骨及び／又は前記内骨の前記凸部と重畳する面には、当該凸部と対応し嵌合する一条の凹部が形成されること
を特徴とする太極扇。
【請求項２】
前記外骨及び前記内骨の開閉時には、前記凸部の前記傾斜部に沿って、重畳する前記内骨又は前記外骨が摺動状態で移動して、その際に前記生地材同士が離隔して摩擦抵抗が低減される構成であること
を特徴とする請求項１に記載の太極扇。
【請求項３】
前記外骨の前記要軸が軸通する部位は、リング状凹み部が形成され、
該リング状凹み部に前記要軸の軸受が嵌合する構成であること
を特徴とする請求項１に記載の太極扇。
【発明の詳細な説明】
【技術分野】
【０００１】
本発明は、中国の伝統的な武術の一つで近年は健康法としても普及する太極拳において、その動作に合わせて開閉して用いられる扇（以下「太極扇」と称する）に関するものである。
【背景技術】
【０００２】
太極扇は、あおいで涼をとるための扇子（和扇子）とは異なり、形状が大形であって、扇面部を閉じた状態での長さは約３００〜３５０ｍｍ程度であり、扇面部を開いた状態での左右両端の長さは約５６０〜６６０ｍｍ程度である。
【０００３】
太極扇は要軸を中心にして外骨及び内骨が開閉し、２本の外骨同士が約１８０度の角度で開成するようになっている。また、外骨と内骨との間に渡って生地材が貼着されて扇面部を形成している。
【０００４】
太極扇を用いる太極拳は、その動作に合わせて太極扇を開閉させて舞う様々な拳法の型、即ち、套路が定められており、健康法や健康体操としてだけでなく、芸術性や観賞性が高く、さらには採点による競技性も備えるという特色を有している。
【０００５】
そして、手で把持した太極扇の素早い開閉動作や、バシッと決めたキレの良い開閉動作が美しく綺麗に舞う基準の一つである。
【０００６】
本願出願人は、太極扇について、特許情報プラットフォームで、「太極扇」「太極拳」「扇子」等のキーワードや「Ａ４５Ｂ  ２７／００」のＩＰＣ（国際特許分類）を用いて特許、実用新案の先行技術の検索を試みたが、太極扇についての出願例又は登録例は見当たらない。
【０００７】
なお、涼をとるための扇子の出願としては、特開２００１−２２４４１４号「扇子」（特許文献１参照）、実用新案登録第３０４００９３号「扇子」（特許文献２参照）、及び実用新案登録第３１０５８６１号「扇子」（特許文献３参照）が開示されている。
【先行技術文献】
【特許文献】
【０００８】
【特許文献１】特開２００１−２２４４１４号
【特許文献２】実用新案登録第３０４００９３号
【特許文献３】実用新案登録第３１０５８６１号
【発明の概要】
【発明が解決しようとする課題】
【０００９】
従来の太極扇は、外骨と内骨との間に渡って生地材が貼着されて扇面部を形成しているので、外骨及び内骨を開成するときや閉成するときに、生地材同士が擦れ合って摩擦抵抗が大きくなる。その結果、太極扇の開閉が重くなり、素早い開閉動作やバシッと決めたキレの良い開閉動作がしにくいという不都合を有している。
【００１０】
従って、従来の太極扇においては、生地材同士の擦れ合いを低減して、外骨及び内骨の開成や閉成の動作を軽くスムーズに行えるようにし、キレの良い開閉動作を可能にして、結果的に太極拳を美しく綺麗に舞えるようにすることに解決しなければならない課題を有している。
【課題を解決するための手段】
【００１１】
前記従来例の課題を解決するための本発明の要旨は、太極拳の動作に合わせて開閉して用いられる太極扇であって、該太極扇は、扁平で長尺な２本の外骨と、該外骨同士の間に沿わした状態で重畳される扁平で長尺な複数本の内骨と、前記外骨及び前記内骨の基部側に軸通されて開閉する時の中心となる要軸と、前記外骨及び前記内骨の一方の面又は他方の面に渡って生地材が貼られて形成される扇面部と、から少なくとも構成され、前記内骨の一方の面又は他方の面の前記基部寄りの位置には、所要長さの一条の凸部が形成され、該凸部は、中央部が盛り上がって両端部に渡り傾斜部が形成され、前記外骨及び／又は前記内骨の前記凸部と重畳する面には、当該凸部と対応し嵌合する一条の凹部が形成されることである。
【００１２】
また、前記外骨及び前記内骨の開閉時には、前記凸部の前記傾斜部に沿って、重畳する前記内骨又は前記外骨が摺動状態で移動して、その際に前記生地材同士が離隔して摩擦抵抗が低減される構成であること、；
前記外骨の前記要軸が軸通する部位は、リング状凹み部が形成され、該リング状凹み部に前記要軸の軸受が嵌合する構成であること、；
を含むものである。
【発明の効果】
【００１３】
本発明に係る太極扇によれば、外骨及び内骨の開成時や閉成時に、凸部の傾斜部に沿って、重畳する内骨又は外骨が摺動状態で移動するので、その際に生地材同士が離隔して、摩擦抵抗が低減される。つまり、太極扇の開成や閉成の動作が軽くなり、素早い開閉動作やビシッと決めたキレの良い開閉動作がし易くなるので、その結果、太極拳を美しく綺麗に舞うことができる。
また、外骨及び内骨の閉成時には、凹部に凸部が嵌合するので、カチッと嵌まる閉止感が得られると共に、外骨及び内骨同士の横ズレが防止できるという優れた効果を奏する。
【００１４】
外骨及び内骨の開閉時には、凸部の傾斜部に沿って、重畳する内骨又は外骨が摺動状態で移動して、その際に生地材同士が離隔して摩擦抵抗が低減される構成であることによって、太極扇が開きやすくなり閉じやすくなる。従って、太極扇の素早い開閉動作やキレの良い開閉動作がし易くなるので、その結果、太極拳を美しく綺麗に舞うことができるという優れた効果を奏する。
【００１５】
外骨の要軸が軸通する部位は、リング状凹み部が形成され、リング状凹み部に要軸の軸受が嵌合する構成であることによって、軸受が外骨の外側に突出しないので、太極扇の基部側を手で把持しやすい。
また、軸受にラインストーン等の装飾品を使用すれば、お洒落でデザイン性が高い太極扇が形成されるという優れた効果を奏する。
【図面の簡単な説明】
【００１６】
【図１】本発明に係る太極扇１１を開いた状態の正面側の斜視図である。
【図２】本発明に係る太極扇１１を開いた状態の背面側の斜視図である。
【図３】本発明に係る太極扇１１を閉じた状態の斜視図である。
【図４】外骨１２の正面図である。
【図５】外骨１２の背面図である。
【図６】外骨１２の側面図である。
【図７】外骨１２の凹部２１を説明する拡大説明図である。
【図８】内骨１３の正面図である。
【図９】内骨１３の背面図である。
【図１０】内骨１３の側面図である。
【図１１】内骨１３の凸部２３を説明する拡大説明図である。
【図１２】内骨１３の凹部２４を説明する拡大説明図である。
【図１３】凸部２３の傾斜部２３ｃに沿って、重畳する内骨１３が移動する状態を説明する要部の拡大側面図である。
【図１４】内骨１３同士が重畳した状態を示す要部の拡大側面図である。
【発明を実施するための形態】
【００１７】
次に、本発明の実施の形態について図面を参照しながら説明する。まず、図１及び図２において、符号１１は太極扇を示し、この太極扇１１は、扁平で長尺な２本の外骨１２と、外骨１２同士の間に沿わした状態で重畳される扁平で長尺な１０本の内骨１３と、外骨１２及び内骨１３の基部側に軸通されて開閉する時の中心となる要軸１４と（図３参照）、外骨１２及び内骨１３の一方の面又は他方の面に渡って生地材１５ａが貼られて形成される扇面部１５とから構成される。
【００１８】
太極扇１１は、扇面部１５を開いた状態での左右両端の長さは、例えば５６０〜６６０ｍｍ程度であり（図１及び図２参照）、扇面部１５を閉じた状態での長さは、例えば３００〜３５０ｍｍ程度である（図３参照）。
【００１９】
外骨１２は、長さが約３２５ｍｍ程度であり、基部１２ａ側の幅は約１８ｍｍ程度であり、基部１２ａ寄りの位置には幅が約１３ｍｍ程度の細部１２ｂが形成されており、先端部１２ｃ側の幅は約１８ｍｍ程度である（図４及び図５参照）。また、基部１２ａ側の厚さは約７．０ｍｍ程度であり、細部１２ｂの厚さは６．０ｍｍ程度であり、先端部１２ｃ側の厚さは約３．５ｍｍ程度である（図６参照）。
【００２０】
外骨１２の基部１２ａには、小孔１６が形成されており、この小孔１６には、図示しないストラップ等を係止させることができる。
【００２１】
外骨１２の基部１２ａ側には、孔部２０が形成されており、この孔部２０に要軸１４が挿通する。
孔部２０の周囲にはリング状凹み部１８が形成されており、このリング状凹み部１８に要軸１４の軸受１９が嵌合する構成である（図３参照）。従って、軸受１４が外骨１２の外側に突出しないので、太極扇１１の基部側を手で把持しやすい。
また、軸受１９にラインストーン等の装飾品を使用すれば、お洒落でデザイン性が高い太極扇１１が形成される。
【００２２】
外骨１２の細部１２ｂの近傍から基部１２ａに渡って、その表面には所定の滑り止め加工処理が施されている（図示せず）。従って、表面がザラザラに形成されるので、手で把持した時に落としにくい構造になっている。
【００２３】
外骨１２の一方の面において基部１２ａ寄りの位置には、一条の凹部２１が形成されている（図５参照）。凹部２１の長さは約７１ｍｍ程度である。凹部２１の形状は、図７に示すように、中央部２１ａが垂れ下がって両端部２１ｂに渡って傾斜部２１ｃが形成される。
【００２４】
内骨１３は、長さが約３１５ｍｍ程度であり、幅は約１２ｍｍ程度であり、厚さは約１．９ｍｍ程度である（図８から図１０参照）。
また、内骨１３の基部１３ａ側には、要軸１４が挿通する軸孔２２が形成されている。
【００２５】
内骨１３の一方の面において基部１３ａ寄りの位置には、一条の凸部２３が形成されている（図８参照）。凸部２３の長さは約７０ｍｍ程度である。凸部２３の形状は、図１１に示すように、中央部２３ａが盛り上がって両端部２３ｂに渡って傾斜部２３ｃが形成される。
【００２６】
内骨１３の他方の面において基部１３ａ寄りの位置、即ち、凸部２３と反対側の位置には、一条の凹部２４が形成されている。凹部２４の長さは、約７１ｍｍ程度である。凹部２４の形状は、図１２に示すように、中央部２４ａが垂れ下がって両端部２４ｂに渡って傾斜部２４ｃが形成される。
【００２７】
このように、内骨１３の凹部２４は、凸部２３と反対側の位置に形成される。つまり、扇面部１５を閉じて内骨１３同士が重畳した状態では、一方の内骨１３の凸部２３と、他方の内骨１３の凹部２４とが対応して嵌合する構造になっている。
また、扇面部１５を閉じて内骨１３と外骨１２とが重畳した状態では、内骨１３の凸部２３と、外骨１２の凹部２１とが対応して嵌合する構造になっている。
【００２８】
要軸１４は、内骨１３の軸孔２２と外骨１２の孔部２０とを挿通しており、要軸１４の両端部が軸受１９に軸支されている。従って、要軸１４は外骨１２及び内骨１３を開閉する時の中心となる（図３参照）。
【００２９】
扇面部１５は、外骨１２及び内骨１３の一方の面又は他方の面に渡って生地材１５ａが貼られて形成される。生地材１５ａの表面には、適宜の柄や模様等のデザインが施されている。
【００３０】
以上のように構成される太極扇１１は、外骨１２及び内骨１３の開成時や閉成時に、凸部２３の傾斜部２３ｃに沿って、重畳する内骨１３又は外骨１２が摺動状態で移動するので、その際に生地材１５ａ同士が離隔して摩擦抵抗が低減されるのである（図１３の矢印Ａ参照）。
つまり、太極扇１１の開成や閉成の動作が軽くなり、素早い開閉動作やビシッと決めたキレの良い開閉動作がし易くなるので、その結果、太極拳を美しく綺麗に舞うことができる。
【００３１】
また、外骨１２及び内骨１３の閉成時には、凹部２４（あるいは凹部２１）に凸部２３が嵌合するので（図１４参照）、カチッと嵌まる閉止感が得られると共に、外骨１２及び内骨１３同士の横ズレが防止できる。
【符号の説明】
【００３２】
１１  太極扇
１２  外骨
１２ａ基部
１２ｂ細部
１２ｃ先端部
１３  内骨
１３ａ基部
１４  要軸
１５  扇面部
１５ａ生地材
１６  小孔
１８  リング状凹み部
１９  軸受
２０  孔部
２１  凹部
２１ａ中央部
２１ｂ両端部
２１ｃ傾斜部
２２  軸孔
２３  凸部
２３ａ中央部
２３ｂ両端部
２３ｃ傾斜部
２４  凹部
２４ａ中央部
２４ｂ両端部
２４ｃ傾斜部
【図１】
2018033498.tif 000003
【図２】
2018033498.tif 000004
【図３】
2018033498.tif 000005
【図４】
2018033498.tif 000006
【図５】
2018033498.tif 000007
【図６】
2018033498.tif 000008
【図７】
2018033498.tif 000009
【図８】
2018033498.tif 000010
【図９】
2018033498.tif 000011
【図１０】
2018033498.tif 000012
【図１１】
2018033498.tif 000013
【図１２】
2018033498.tif 000014
【図１３】
2018033498.tif 000015
【図１４】
2018033498.tif 000016